(57)【要約】【課題】携帯型端末装置による作業を大きな画面を見ながら行うことができるようにする。【解決手段】表示装置３に、この表示装置３が設置されている場所に訪れたユーザの携帯型の端末装置４からデータを受信するための第一のコンテンツ受信部３０３を設けておき、ネットワークを介して端末装置４からコンテンツ配信サーバ２２に対してＵＲＬを指定することによって、閲覧したい情報を表示するためのファイル７１をコンテンツ配信サーバ２２からネットワークを介して端末装置４に送信し、端末装置４が受信したファイル７１を表示装置３に転送し、転送されたファイル７１に基づいて表示装置３に情報を表示する。【選択図】　　　図５
2004021821.tif 000002
【特許請求の範囲】
【請求項１】
ユーザが閲覧を希望する情報を表示装置に表示する表示方法であって、
前記表示装置に、当該表示装置が設置されている場所に訪れた前記ユーザの携帯型端末装置と通信を行うための通信手段を設けておき、
ネットワークを介して前記携帯型端末装置からサーバに対して前記情報を要求することによって、前記情報を表示するための画面データを前記サーバから前記ネットワークを介して前記携帯型端末装置に送信し、
前記携帯型端末装置が受信した前記画面データを前記表示装置に転送し、
転送された前記画面データに基づいて前記表示装置に前記情報を表示する、
ことを特徴とする表示方法。
【請求項２】
情報を配信する情報配信システムと、当該情報を表示する１台または複数台の表示装置と、を有してなる表示システムであって、
前記情報配信システムには、
前記情報を表示するための画面データを記憶する画面データ記憶手段と、
ユーザが閲覧を希望する情報の指定を当該ユーザの携帯型端末装置から受け付ける受付手段と、
受け付けた前記情報の指定に係る情報の前記画面データを前記ユーザの携帯型端末装置に送信する送信手段と、が設けられ、
前記表示装置には、
当該表示装置が設置されている場所に訪れた前記ユーザの携帯型端末装置が前記情報配信システムから受信した前記画面データを、当該携帯型端末装置から受信する第一の受信手段と、
受信した前記画面データに基づいて前記情報を表示する表示手段と、が設けられ、
てなることを特徴とする表示システム。
【請求項３】
前記情報配信システムには、前記表示装置ごとの仕様を記憶する仕様記憶手段が設けられており、
前記画面データ記憶手段は、前記画面データとして前記仕様ごとに応じた画面データを記憶し、
前記受付手段は、前記情報の指定とともに前記ユーザが使用する表示装置の指定を受け付け、
前記送信手段は、前記画面データとして、前記受付手段が受け付けた前記表示装置の指定に係る表示装置の仕様に応じた画面データを送信する、
請求項２記載の表示システム。
【請求項４】
前記表示装置には、ネットワークを介して前記情報配信システムから前記画面データを受信する第二の受信手段が設けられており、
前記送信手段は、送信しようとする前記画面データが所定のサイズよりも大きい場合は、当該画面データを、当該携帯型端末装置に送信する代わりに当該ユーザが使用する表示装置に送信し、
前記表示手段は、前記第二の受信手段が受信した前記画面データに基づいて前記情報を表示する、
請求項２または請求項３記載の表示システム。
【請求項５】
前記画面データ記憶手段は、前記画面データとして前記表示装置の仕様ごとに応じた画面データを記憶し、
前記受付手段は、前記情報の指定とともに前記ユーザが使用する表示装置の仕様を示す仕様情報を受け付け、
前記送信手段は、前記画面データとして、前記受付手段が受け付けた前記仕様情報に示される仕様に応じた画面データを送信する、
請求項２記載の表示システム。
【請求項６】
携帯型端末装置から画面データを受信する手段と画面データに基づいて情報を表示する手段とを有する１台または複数台の表示装置が設けられた表示システムに用いられる情報配信システムであって、
前記表示装置の仕様ごとに応じた、前記情報を表示するための画面データを、記憶する画面データ記憶手段と、
ユーザが使用する表示装置の指定と閲覧を希望する情報の指定とを当該ユーザの携帯型端末装置から受け付ける受付手段と、
前記表示装置の指定に係る表示装置に応じた、前記情報の指定に係る情報の画面データを、前記ユーザの携帯型端末装置に送信する送信手段と、
を有してなることを特徴とする情報配信システム。
【請求項７】
前記表示装置は、ネットワークを介して当該情報配信システムから画面データを受信する手段を有しており、
前記送信手段は、前記情報の指定に係る情報の画面データが所定のサイズよりも大きい場合は、当該画面データを、当該携帯型端末装置に送信する代わりに前記表示装置の指定に係る表示装置に送信する、
請求項６記載の情報配信システム。
【請求項８】
前記ユーザに対して当該ユーザが使用した表示装置の使用料金および当該ユーザの携帯型端末装置に配信した情報の提供料金を請求するための処理を行う料金処理手段を有してなる、
請求項６または請求項７記載の情報配信システム。
【請求項９】
画面データに基づいて情報を表示する表示装置であって、
当該表示装置が設置されている場所に訪れたユーザが当該表示装置を使用する権利を有するか否かを確認する使用可否確認手段と、
前記ユーザが前記権利を有することが確認された場合に、当該ユーザの携帯型端末装置がサーバから受信した前記画面データを、当該携帯型端末装置から受信する受信手段と、
受信した前記画面データに基づいて前記情報を表示する表示手段と、
を有してなることを特徴とする表示装置。
【請求項１０】
携帯型端末装置から画面データを受信する手段および当該画面データに基づいて情報を表示する手段を有する１台または複数台の表示装置と、前記表示装置の仕様ごとに応じた、前記情報を表示するための画面データを、配信する情報配信サーバと、が設けられた表示システムに用いられる携帯型端末装置であって、
ユーザが閲覧を希望する情報および当該情報の閲覧に使用する表示装置を前記情報配信サーバに対して指定する指定手段と、
指定した情報を指定した表示装置に表示するための画面データを前記情報配信サーバから受信する受信手段と、
受信した画面データを前記ユーザが閲覧に使用する表示装置に転送する転送手段と、
を有してなることを特徴とする携帯型端末装置。
【発明の詳細な説明】
【０００１】
【発明の属する技術分野】
本発明は、モバイル環境で情報を閲覧するユーザに対して提供する表示環境に関する。
【０００２】
【従来の技術】
近年、携帯電話装置、ＰＨＳ電話装置、またはＰＤＡ（Ｐｅｒｓｏｎａｌ　Ｄｉｇｉｔａｌ　Ａｓｓｉｓｔａｎｔ）などの携帯型端末装置は、従来のデスクトップパソコンに匹敵する処理能力および通信能力を備えるようになった。これに伴い、従来デスクトップパソコンで行っていた作業を、携帯型端末装置を使用して行うユーザ（いわゆるモバイルユーザ）が増えている。携帯型端末装置によって、例えば、電子メール、Ｗｅｂページ（ＷＷＷページ）の閲覧、ゲーム、株式の売買、またはオンラインバンキングなどを、時または場所を問わず行うことができる。
【０００３】
一方、デスクトップパソコンを時間単位で貸し出すインターネットカフェのような公共の施設が増えている。また、客室ごとにデスクトップパソコンを設置し、サービスの向上を図るホテルも増えている。これにより、ユーザは、外出しているときでも、自宅のデスクトップパソコンと同じような感覚で容易にＷｅｂページの閲覧などを行うことができる。
【０００４】
【発明が解決しようとする課題】
しかし、携帯型端末装置はユーザが携帯するのに適したコンパクトなサイズに設計されているので、当然、その画像表示パネルのサイズは、デスクトップパソコンの表示装置の表示面に比べて非常に小さい。また、携帯型端末装置は、充電池の消耗を抑えるために、消費電力が少なくなるように制御されている。よって、画像表示パネルの性能が十分に引き出されない場合がある。
【０００５】
そこで、ユーザは、外出しているときに、携帯型端末装置の代わりに公共の施設のデスクトップパソコンを利用する場合がある。しかし、公共の施設ではどのようなセキュリティ対策が講じられているのか分からないので、ユーザは、予期せぬトラブルに遭うおそれがある。例えば、入力した氏名や住所などの個人情報がキャッシュファイルとしてデスクトップパソコンに残ってしまい、他のユーザに知られるおそれがある。または、Ｗｅｂブラウザのセキュリティホールが原因で、オンラインバンキングの口座番号やクレジットカードの番号などをインターネット上の誰かに盗み取られて悪用されるおそれがある。
【０００６】
したがって、Ｗｅｂページの閲覧のようにセキュリティを気にする必要のない作業は公共の施設のデスクトップパソコンの大きな画面で行うことができるが、上記のようなセキュリティ上の注意を要する作業は、結局、信頼できる自分の携帯型端末装置の小さな画面で行わなければならない。このような理由から、携帯型端末装置による作業であっても大きな画面を見ながら行うことができる環境が望まれる。
【０００７】
本発明は、このような問題点に鑑み、携帯型端末装置による作業を大きな画面を見ながら行うことができる表示環境を提供することを目的とする。
【０００８】
【課題を解決するための手段】
本発明に係る表示方法は、ユーザが閲覧を希望する情報を表示装置に表示する表示方法であって、前記表示装置に、当該表示装置が設置されている場所に訪れた前記ユーザの携帯型端末装置と通信を行うための通信手段を設けておき、ネットワークを介して前記携帯型端末装置からサーバに対して前記情報を要求することによって、前記情報を表示するための画面データを前記サーバから前記ネットワークを介して前記携帯型端末装置に送信し、前記携帯型端末装置が受信した前記画面データを前記表示装置に転送し、転送された前記画面データに基づいて前記表示装置に前記情報を表示する。
【０００９】
本発明に係る表示システムは、情報を配信する情報配信システムと、当該情報を表示する１台または複数台の表示装置と、を有してなる表示システムであって、前記情報配信システムには、前記情報を表示するための画面データを記憶する画面データ記憶手段と、ユーザが閲覧を希望する情報の指定を当該ユーザの携帯型端末装置から受け付ける受付手段と、受け付けた前記情報の指定に係る情報の前記画面データを前記ユーザの携帯型端末装置に送信する送信手段とが設けられ、前記表示装置には、当該表示装置が設置されている場所に訪れた前記ユーザの携帯型端末装置が前記情報配信システムから受信した前記画面データを、当該携帯型端末装置から受信する第一の受信手段と、受信した前記画面データに基づいて前記ユーザが閲覧を希望する情報を表示する表示手段とが設けられてなる。
【００１０】
好ましくは、前記情報配信システムには、前記表示装置ごとの仕様を記憶する仕様記憶手段が設けられており、前記画面データ記憶手段は、前記画面データとして前記仕様ごとに応じた画面データを記憶し、前記受付手段は、前記情報の指定とともに前記ユーザが使用する表示装置の指定を受け付け、前記送信手段は、前記画面データとして、前記受付手段が受け付けた前記表示装置の指定に係る表示装置の仕様に応じた画面データを送信する。または、前記表示装置には、ネットワークを介して前記情報配信システムから前記画面データを受信する第二の受信手段が設けられており、前記送信手段は、送信しようとする前記画面データが所定のサイズよりも大きい場合は、当該画面データを、当該携帯型端末装置に送信する代わりに当該ユーザが使用する表示装置に送信し、前記表示手段は、前記第二の受信手段が受信した前記画面データに基づいて前記情報を表示する。
【００１１】
または、前記画面データ記憶手段は、前記画面データとして前記表示装置の仕様ごとに応じた画面データを記憶し、前記受付手段は、前記情報の指定とともに前記ユーザが使用する表示装置の仕様を示す仕様情報を受け付け、前記送信手段は、前記画面データとして、前記受付手段が受け付けた前記仕様情報に示される仕様に応じた画面データを送信する。
【００１２】
本発明に係る情報配信システムは、携帯型端末装置から画面データを受信する手段と画面データに基づいて情報を表示する手段とを有する１台または複数台の表示装置が設けられた表示システムに用いられる情報配信システムであって、前記表示装置の仕様ごとに応じた、前記情報を表示するための画面データを、記憶する画面データ記憶手段と、ユーザが使用する表示装置の指定と閲覧を希望する情報の指定とを当該ユーザの携帯型端末装置から受け付ける受付手段と、前記表示装置の指定に係る表示装置に応じた、前記情報の指定に係る情報の画面データを、前記ユーザの携帯型端末装置に送信する送信手段とを有してなる。
【００１３】
好ましくは、前記表示装置は、ネットワークを介して当該情報配信システムから画面データを受信する手段を有しており、前記送信手段は、前記情報の指定に係る情報の画面データが所定のサイズよりも大きい場合は、当該画面データを、当該携帯型端末装置に送信する代わりに前記表示装置の指定に係る表示装置に送信する。または、前記ユーザに対して当該ユーザが使用した表示装置の使用料金および当該ユーザの携帯型端末装置に配信した情報の提供料金を請求するための処理を行う料金処理手段を有してなる。
【００１４】
本発明に係る表示装置は、画面データに基づいて情報を表示する表示装置であって、当該表示装置が設置されている場所に訪れたユーザが当該表示装置を使用する権利を有するか否かを確認する使用可否確認手段と、前記ユーザが前記権利を有することが確認された場合に、当該ユーザの携帯型端末装置がサーバから受信した前記画面データを、当該携帯型端末装置から受信する受信手段と、受信した前記画面データに基づいて前記情報を表示する表示手段とを有してなる。
【００１５】
本発明に係る携帯型端末装置は、携帯型端末装置から画面データを受信する手段および当該画面データに基づいて情報を表示する手段を有する１台または複数台の表示装置と、前記表示装置の仕様ごとに応じた、前記情報を表示するための画面データを、配信する情報配信サーバと、が設けられた表示システムに用いられる携帯型端末装置であって、ユーザが閲覧を希望する情報および当該情報の閲覧に使用する表示装置を前記情報配信サーバに対して指定する指定手段と、指定した情報を指定した表示装置に表示するための画面データを前記情報配信サーバから受信する受信手段と、受信した画面データを前記ユーザが閲覧に使用する表示装置に転送する転送手段とを有してなる。
【００１６】
【発明の実施の形態】
図１は本発明に係る大画面表示システム１の構成の例を示す図、図２は端末装置４のハードウェア構成の例を示す図、図３は表示装置３のハードウェア構成の例を示す図、図４は管理サーバ２１などのハードウェア構成の例を示す図、図５は表示装置３および端末装置４の機能的構成の例を説明する図、図６は管理サーバ２１、コンテンツ配信サーバ２２、およびアプリケーション配信サーバ２３の機能的構成の例を説明する図、図７は登録ユーザテーブルＴＢ３の構成の例を示す図、図８は表示装置テーブルＴＢ１の構成の例を示す図、図９は仕様テーブルＴＢ２の構成の例を示す図、図１０は表示装置３などのタイプごとに用意されたファイル７１の組合せの例を示す図、図１１は大画面表示システム１の処理の流れの例を説明するフローチャートである。
【００１７】
図１に示すように、本発明に係る大画面表示システム１は、情報配信システム２、表示装置３、端末装置４、６、および通信回線５などによって構成される。情報配信システム２は、管理サーバ２１、コンテンツ配信サーバ２２、およびアプリケーション配信サーバ２３によって構成される。通信回線５として、インターネット、ＡＤＳＬまたは携帯電話回線などの公衆回線、またはＬＡＮまたはＷＡＮなどの専用回線などが用いられる。
【００１８】
端末装置４は、図２に示すように、ＭＰＵ（Ｍｉｃｒｏ　Ｐｒｏｃｅｓｓｉｎｇ　Ｕｎｉｔ　）４ａ、グラフィックコントローラ４ｂ、ＲＡＭ（メインメモリ）４ｃ、ＲＯＭ４ｄ、通信制御装置４ｅ、表示データ変換器４ｆ、Ｉ／Ｏコントローラ４ｇ、および無線インタフェース４ｈなどによって構成される携帯電話装置またはＰＨＳ電話装置である。端末装置４は、電話局にダイアルアップし、通信回線５に接続することができる。ＲＯＭ４ｄには、ＯＳ（オペレーティングシステム）、Ｗｅｂブラウザまたは動画再生ソフトなどのアプリケーション（プログラム）、および端末装置４自身の携帯電話番号および仕様などの情報が記憶されている。アプリケーションは、使用するたびにアプリケーション配信サーバ２３などからダウンロードし、ＲＡＭ４ｃにロードしてもよい。
【００１９】
アプリケーションを実行すると、端末装置４の表示面（ディスプレイパネル）には、その実行結果が表示される。例えば、コンテンツ配信サーバ２２などからダウンロードしたＨＴＭＬファイルに基づいてＷｅｂブラウザのプログラムを実行すると、Ｗｅｂページ（ホームページ）が表示される。
【００２０】
また、端末装置４は、無線インタフェース４ｈを介して表示装置３と接続することができる。無線インタフェース４ｈとして、Ｂｌｕｅｔｏｏｔｈまたは無線ＬＡＮ（ＩＥＥＥ８０２．１１）などが用いられる。無線インタフェース４ｈを有しない旧式の端末装置４の場合は、Ｉ／Ｏコントローラ４ｇを介して無線インタフェースのオプションを追加すればよい。または、無線インタフェース４ｈの代わりに、ＵＳＢまたはＩＥＥＥ１３９４などを用いてもよい。この場合は、端末装置４と表示装置３とは、ケーブルで接続される。端末装置４として、図２のような携帯電話装置またはＰＨＳ電話装置のほか、ノート型パソコンまたはＰＤＡ（Ｐｅｒｓｏｎａｌ　Ｄｉｇｉｔａｌ　Ａｓｓｉｓｔａｎｔ）などを用いてもよい。
【００２１】
表示装置３は、図３に示すように、ディスプレイ駆動回路３ａ、グラフィックコントローラ３ｂ、メモリ３ｃ、ＭＰＵ３ｄ、および電源３ｅなどによって構成される。また、表示装置３には、セットトップボックス３ｔが外付けされ、または、これに相当するものが内蔵されている。セットトップボックス３ｔは、通信回線５と接続するための通信インタフェースおよび端末装置４と通信を行うためのＢｌｕｅｔｏｏｔｈ、無線ＬＡＮ、またはＵＳＢなどのインタフェースが設けられている。通信インタフェースとして、ＡＤＳＬまたは１００Ｂａｓｅ−Ｔなどが用いられる。操作リモコン３ｆは、電源のオンオフの切換え、画面調整、またはチャンネルの切換えなどの操作のために使用される。
【００２２】
メモリ３ｃには、画像表示および通信などを制御する制御プログラム、Ｗｅｂブラウザまたは動画再生ソフトなどのアプリケーション、および表示装置３自身の解像度、カラーモード、画面サイズ、またはリフレッシュレートなどの機能または仕様に関する情報が記憶されている。
【００２３】
表示装置３として、プラズマディスプレイ（ＰＤＰ）、液晶ディスプレイ（ＬＣＤ）、またはブラウン管ディスプレイ（ＣＲＴディスプレイ）など大画面のディスプレイ装置が用いられる。または、図３に示す機能を有する一式のパーソナルコンピュータ（パソコン）を用いてもよい。喫茶店、インターネットカフェ、ホテルの客室または会議室、官公庁または会社の応接室または会議室、学校の視聴覚教室などの様々な場所には、その場所に適したタイプの表示装置３が設置される。例えば、ホテルの客室またはインターネットカフェの座席などには、１７インチ程度のパネルを有する表示装置３が設置される。数十人を収容する会議室などには、５０〜１００インチ程度のパネルを有する表示装置３が設置される。以下、本実施形態の大画面表示システム１には、図９に示すようなタイプＡ、Ｂ、Ｃ…の表示装置３があるものとする。
【００２４】
これらの場所を訪れたユーザは、自分の端末装置４が受信した情報をその端末装置４の表示面に表示させる代わりに、その場所に設置されている表示装置３の表示面に表示させることができる。または、端末装置４が実行したプログラムの実行結果を表示装置３の表示面に表示させることができる。つまり、端末装置４において、表示装置３の表示面を仮想し、仮想された表示面に適した画像データを出力することができる。これについては、後に詳しく説明する。
【００２５】
コンテンツ配信サーバ２２は、経済情報、技術情報、学術情報、地域情報、娯楽情報、地図、ニュース、または天気予報などの種々の情報をユーザに提供する。これらの情報は、一般に、Ｗｅｂコンテンツまたはマルチメディアコンテンツなどと呼ばれることがある。以下、これらの情報を単に「コンテンツ」と記載することがある。これらの情報（コンテンツ）は、ユーザの端末装置４に対して、文字、図表、写真、または音声などからなるＷｅｂページを送信し、またはマルチメディアデータをストリーミング配信することによってユーザに提供される。
【００２６】
アプリケーション配信サーバ２３は、ゲーム、占い、株式の売買、またはオンラインバンキングなどのサービスを実行するためのアプリケーションをユーザの端末装置４に送信する。これらのアプリケーションは、ＨＴＭＬ（Ｈｙｐｅｒｔｅｘｔ　Ｍａｒｋｕｐ　Ｌａｎｇｕａｇｅ　）、ＸＭＬ（Ｅｘｔｅｎｓｉｂｌｅ　Ｍａｒｋｕｐ　Ｌａｎｇｕａｇｅ）、またはＪＡＶＡ（登録商標）などによって記述される。
【００２７】
管理サーバ２１は、様々な場所に設置されている表示装置３の管理、コンテンツ配信サーバ２２およびアプリケーション配信サーバ２３などとの連携の処理、およびユーザが提供を受けたコンテンツまたはサービスの料金および表示装置３の利用料金についての管理などを行う。この管理サーバ２１の運営および管理は、ＩＳＰ（Ｉｎｔｅｒｎｅｔ　Ｓｅｒｖｉｃｅ　Ｐｒｏｖｉｄｅｒ　）などの企業が行っている。
【００２８】
管理サーバ２１、コンテンツ配信サーバ２２、およびアプリケーション配信サーバ２３に用いられるサーバ機は、図４に示すように、ＭＰＵ２ａ、ＲＡＭ２ｂ、ＲＯＭ２ｃ、磁気記憶装置２ｄ、および各種インタフェースなどによって構成される。各サーバの磁気記憶装置２ｄには、ＯＳおよび後に説明する処理を実行するために必要なプログラムおよびデータなどが記憶されている。例えば、管理サーバ２１の磁気記憶装置２ｄには、課金用プログラムおよびサーバ管理用プログラムなどが記憶されている。コンテンツ配信サーバ２２の磁気記憶装置２ｄには、ＷＷＷサーバ用プログラムおよびストリーミングサーバ用プログラムなどが記憶されている。
【００２９】
なお、図１の例では、管理サーバ２１、コンテンツ配信サーバ２２、およびアプリケーション配信サーバ２３として、それぞれ異なるサーバ機が用いられているが、これらを１台の高性能のサーバ機によって構成してもよい。逆に、図１の例よりも多くのサーバ機に分散して構成してもよい。例えば、コンテンツ配信サーバ２２のＷＷＷサーバの機能およびストリーミングサーバの機能を別々のサーバ機によって構成してもよい。
【００３０】
このような構成により、図５に示すように、端末装置４には、コンテンツ要求部４０１、コンテンツ受信部４０２、ユーザ情報送信部４０３、表示制御部４０４、およびコンテンツ転送部４０５などの機能が実現される。表示装置３には、ユーザ認証要求部３０１、使用状況記録部３０２、第一のコンテンツ受信部３０３、第二のコンテンツ受信部３０４、表示制御部３０５、および使用状況送信部３０６などの機能が実現される。
【００３１】
また、図６に示すように、管理サーバ２１には、ユーザ認証部２１１、表示装置情報記憶部２１２、タイプ検索部２１３、課金処理部２１４、およびユーザ情報記憶部２１５などの機能が実現される。コンテンツ配信サーバ２２には、コンテンツ送信部２２１、コンテンツ記憶部２２２、送信要求受付部２２３、およびコンテンツ料金請求部２２４などの機能が実現される。アプリケーション配信サーバ２３には、プログラム送信部２３１、プログラム記憶部２３２、送信要求受付部２３３、およびサービス料金請求部２３４などの機能が実現される。
〔ユーザ認証のための処理〕
図６において、ユーザ情報記憶部２１５は、登録ユーザテーブルＴＢ３を記憶している。登録ユーザテーブルＴＢ３には、図７に示すように、大画面表示システム１の登録ユーザのユーザ名、ユーザＩＤ、所有する端末装置４の携帯電話番号、および表示装置３などの利用に対する料金（請求金額）などの情報が格納されている。登録ユーザテーブルＴＢ３に登録されているユーザでなければ、表示装置３を使用する権利を有しない。
【００３２】
登録ユーザであるか否かの認証は、つぎのような手順で行われる。ユーザは、これから使用しようとする表示装置３の近くに寄り、自分のユーザＩＤを端末装置４に入力する。このとき、図５において、端末装置４のユーザ情報送信部４０３は、ユーザが入力したユーザＩＤを表示装置３に送信する。表示装置３のユーザ認証要求部３０１は、このユーザＩＤに示されるユーザが正規の登録ユーザであるか否かを管理サーバ２１に対して問い合わせる。
【００３３】
すると、図６において、管理サーバ２１のユーザ認証部２１１は、そのユーザＩＤが登録ユーザテーブルＴＢ３に登録されているか否かを確認する。ユーザＩＤが登録されている場合は、正規の登録ユーザである旨を表示装置３に回答する。そして、表示装置３は、そのユーザに対して使用を許可する。ユーザＩＤが登録されていない場合は、認証に失敗した旨を表示装置３に回答する。この場合は、ユーザは表示装置３を使用することができない。なお、ユーザＩＤの代わりに端末装置４に割り当てられている携帯電話番号を用いてユーザ認証を行ってもよい。または、表示装置３に自動精算機を設けておき、自動精算機に投入された金額に応じた時間だけ表示装置３を使用できるように構成してもよい。
【００３４】
または、ユーザ認証要求部３０１に相当する機能を端末装置４に設けてもよい。この場合は、管理サーバ２１は、端末装置４のユーザが正規の登録ユーザであることを確認すると、その端末装置４に対して認証キーを発行する。表示装置３は、端末装置４から認証キーが送信されてきた場合に、そのユーザに対して使用を許可する。
〔情報（コンテンツ）を表示するための処理〕
管理サーバ２１の表示装置情報記憶部２１２は、表示装置テーブルＴＢ１および仕様テーブルＴＢ２などを記憶している。表示装置テーブルＴＢ１は、図８に示すように、各表示装置３（３１、３２、…）のネットワークアドレスおよびタイプに関する情報が格納されている。ネットワークアドレスとして、例えば、ＩＰアドレスが用いられる。仕様テーブルＴＢ２は、図９に示すように、表示装置テーブルＴＢ１に示されるタイプごと（タイプＡ、Ｂ、Ｃ、…）の解像度、カラーモード、表示領域のサイズ、およびリフレッシュレートなど機能または仕様に関する情報が格納されている。
【００３５】
コンテンツ配信サーバ２２のコンテンツ記憶部２２２は、ユーザに提供する情報（コンテンツ）をＷｅｂページとして表示するためのファイル７１および動画像または音声をストリーミング配信するためのマルチメディアデータ７２などを記憶している。
【００３６】
ファイル７１には、ＨＴＭＬまたはＸＭＬなどの言語で記載されたハイパーテキストファイルのほか、ＧＩＦまたはＪＰＥＧなどの形式の画像ファイル、ＷＡＶまたはＭＰ３などの形式の音声ファイル、またはＭＰＥＧなどの形式の動画像ファイルなどがある。このファイル７１は、コンテンツの表示先となる表示装置３または端末装置４のタイプごとに用意されている。例えば、図１０に示すように、「スポーツニュース（６月１日）」というコンテンツについて、タイプごとに適したファイル７１が用意されている。高解像で表示色数の多いタイプＣの場合は、１つの画面の中に多くの文字および画像を同時に表示することができるので、１つのコンテンツを表示するためのファイル７１の個数は多く、また、各ファイル７１のサイズは大きい。逆に、タイプＸ（携帯電話装置）の場合は、タイプＣの場合よりも表示できる文字数または画像サイズが限られているので、１つのコンテンツを表示するためのファイル７１の個数は少なく、各ファイル７１のサイズは小さい。
【００３７】
動画像または音声によるコンテンツを再生するためのマルチメディアデータ７２も、ファイル７１と同様に、それぞれの装置のタイプに適したものが用意されている。または、１つのコンテンツに対して１つのマルチメディアデータ７２を用意しておき、表示先の装置に応じて画像のサイズを小さくし、画質または音質を落とし、またはコマを間引くなどの編集を行ってからストリーミング配信を行うようにしてもよい。
【００３８】
アプリケーション配信サーバ２３のプログラム記憶部２３２には、端末装置４においてゲーム、占い、株式の売買、またはオンラインバンキングなどのサービスを実行するためのプログラム８１が記憶されている。プログラム８１も、上述のファイル７１の場合と同様に、表示装置３または端末装置４のタイプごとに適したものが用意されている。
【００３９】
これらのファイル７１、マルチメディアデータ７２、およびプログラム８１は、コンテンツ製作業者の端末装置６によって作成され、コンテンツ配信サーバ２２またはアプリケーション配信サーバ２３にアップロードされる。
【００４０】
ユーザは、所望するコンテンツを閲覧しまたはサービスの提供を受けるために、そのコンテンツまたはサービスのＵＲＬ（Ｕｎｉｆｏｒｍ　Ｒｅｓｏｕｒｃｅ　Ｌｏｃａｔｏｒｓ　）を自分の端末装置４に指定する。すると、図５のコンテンツ要求部４０１は、ダイアルアップを行って通信回線５への接続を開始し、指定されたＵＲＬに基づいてコンテンツ配信サーバ２２またはアプリケーション配信サーバ２３に対してコンテンツまたはサービスのデータを要求する。ユーザは、表示装置３を使用してコンテンツの閲覧などを行う場合は、端末装置４を操作してその旨の指示を与える。すると、コンテンツ要求部４０１は、データの要求とともに、その表示装置３を識別する情報（例えばＩＰアドレス）をコンテンツ配信サーバ２２またはアプリケーション配信サーバ２３に送信する。
【００４１】
図６において、送信要求受付部２２３は、端末装置４からコンテンツの送信の要求を受け付ける。コンテンツ送信部２２１は、要求されたコンテンツのためのファイル７１を次のような手順で端末装置４に送信する。
【００４２】
コンテンツのデータの要求すなわちＵＲＬの指定とともに表示装置３のＩＰアドレスが指定された場合は、その表示装置３のタイプを管理サーバ２１に対して問い合わせる。
【００４３】
すると、管理サーバ２１のタイプ検索部２１３は、指定されたＩＰアドレスに対応するタイプを表示装置テーブルＴＢ１の中から検索し（図８参照）、その結果を回答する。そして、コンテンツ送信部２２１は、要求されたコンテンツを表示するためのファイル７１のうち、タイプ検索部２１３による検索結果に示されるタイプに適したファイル７１をコンテンツ記憶部２２２から抽出し、要求元の端末装置４に送信する。
【００４４】
また、動画像または音声のコンテンツを要求された場合は、コンテンツ送信部２２１は、次のような手順で要求元の端末装置４に対してストリーミング配信を行う。まず、ファイル７１の送信の場合と同様に、コンテンツの表示に使用される表示装置３のタイプの検索を行う。検索されたタイプに適した画像のサイズ、画質または音質、またはコマ数になるように動画像または音声の編集を行う。例えば、タイプＣ（図９参照）のように高性能の表示装置３が使用される場合は、画像のサイズを大きくし、高画質にし、１秒当たりのコマ数が多くなるように編集を行う。タイプＡの場合は、タイプＣの場合よりも画像のサイズを小さくしまたは画質を落とすなどの編集を行う。編集された動画像は、パケット化され、ストリーミングデータ７３として端末装置４に送信される。
【００４５】
アプリケーション配信サーバ２３の送信要求受付部２３３およびプログラム送信部２３１も、コンテンツ配信サーバ２２の送信要求受付部２２３およびコンテンツ送信部２２１と同様の処理を行う。すなわち、サービスの要求を受け付けると、使用される表示装置３に適したプログラム８１を要求元の端末装置４に送信する。
【００４６】
使用される表示装置３のＩＰアドレスが指定されなかった場合は、コンテンツ送信部２２１およびプログラム送信部２３１は、表示装置として端末装置４が使用されるものとみなし、端末装置４に対応したファイル７１、ストリーミングデータ７３、またはプログラム８１を送信する。
【００４７】
表示装置３のＩＰアドレスの代わりに表示環境（表示モード）を指定してもよい。例えば、表示装置３の表示環境を、「解像度＝ＸＧＡ、カラーモード＝２５６色」のように指定する。この場合、コンテンツ送信部２２１は、指定された表示環境に最も適したファイル７１をコンテンツ記憶部２２２の中から抽出し、端末装置４に送信する。または、指定された表示環境に適した動画像の編集を行い、ストリーミング配信を行う。同様に、プログラム送信部２３１は、指定された表示環境に最も適したプログラム８１を送信する。
【００４８】
図５において、端末装置４のコンテンツ受信部４０２は、コンテンツ配信サーバ２２またはアプリケーション配信サーバ２３から送信されたファイル７１、ストリーミングデータ７３、またはプログラム８１を受信する。
【００４９】
端末装置４に表示装置３が接続されていない場合は、表示制御部４０４は、受信したファイル７１に基づいてＷｅｂページを生成して表示面に表示し、ストリーミングデータ７３に基づいてリアルタイム再生した動画像を表示し、またはプログラム８１を実行しその結果を表示する。
【００５０】
端末装置４に表示装置３が接続されている場合は、コンテンツ転送部４０５は、受信したファイル７１、ストリーミングデータ７３、またはプログラム８１を、その表示装置３に転送する。表示装置３において、これらのファイル７１などは、コンテンツ受信部３０３によって受信される。表示制御部３０５は、端末装置４の表示制御部４０４と同様に、受信されたこれらのデータに基づいて表示面ＨＧにＷｅｂページ、動画像、またはプログラムの実行結果を表示する。なお、プログラムの実行は、端末装置４によって行ってもよい。この場合は、端末装置４は、プログラム８１を転送する代わりに、プログラムの実行結果を表示装置３に送信する。
【００５１】
このように、閲覧したいコンテンツまたは提供を受けたいサービスの画面を端末装置４の小さな表示面の代わりに表示装置３の大きな表示面ＨＧに表示させることができるので、ユーザは、端末装置４の操作を楽に行うことができる。しかも、コンテンツを表示するためのファイル７１などは、その表示装置３のタイプに合わせて選択されダウンロードされるので、表示装置３の表示機能が十分に発揮される。よって、ユーザは、携帯型の端末装置４を使用しながら、快適な表示環境を得ることができる。
【００５２】
なお、コンテンツ配信サーバ２２またはアプリケーション配信サーバ２３以外のインターネット上のＷｅｂサーバから提供されるＷｅｂページも、上記のように表示装置３に表示させることができる。すなわち、ユーザが所望するＷｅｂページのＵＲＬを端末装置４に入力すると、そのＵＲＬに基づいてＨＴＭＬファイルおよび画像ファイルなどがＷｅｂサーバから端末装置４に送信され、さらに表示装置３に転送される。表示装置３は、転送されてきたファイルに基づいてＷｅｂページを表示する。
〔データ通信の回線の切換え〕
上に説明したように、コンテンツ配信サーバ２２およびアプリケーション配信サーバ２３は、端末装置４を介してファイル７１などのデータを表示装置３に送信する。しかし、端末装置４が携帯電話装置またはＰＨＳ電話装置である場合は、通信速度が６４ｋｂｐｓ（ＰＨＳ回線）〜数百ｋｂｐｓ（ＩＭＴ−２０００）程度なので、端末装置４を介して大きなサイズのデータを送信すると時間が掛かる。したがって、例えば、高画質の動画像のデータを送信すると、画像の表示が遅れたり止まったりする場合がある。これに対して、表示装置３の回線は、８Ｍｂｐｓ（ＡＤＳＬ）〜１００Ｍｂｐｓ（１００ＢＡＳＥ−Ｔ）であり、非常に高速である。
【００５３】
そこで、図６のコンテンツ送信部２２１またはプログラム送信部２３１は、端末装置４に送信しようとするファイル７１、ストリーミングデータ７３、またはプログラム８１のサイズをチェックし、所定の値よりも大きいと判別した場合は、これらのデータを端末装置４に送信せずに表示装置３に直接送信する。このとき、表示装置３の第二のコンテンツ受信部３０４（図５参照）がファイル７１などを受信する。表示制御部３０５は、第二のコンテンツ受信部３０４によって受信されたファイル７１などに基づいてＷｅｂページなどを表示面ＨＧに表示する。
【００５４】
または、データのサイズの大小に関わらず、ユーザによって通信回線の切換えの指令がなされたときに、表示装置３に直接データを送信するようにしてもよい。これにより、使用料の高い携帯電話回線またはＰＨＳ回線の使用を抑えることができる。また、端末装置４での処理の実行を最小限にして充電池の消費を抑えることができる。
〔課金のための処理〕
管理サーバ２１の課金処理部２１４は、ユーザに対する課金の処理を行う。ユーザは、表示装置３を使用した場合、コンテンツ配信サーバ２２からコンテンツの提供を受けた場合、およびアプリケーション配信サーバ２３からサービスの提供を受けた場合に、料金の支払いを請求される。
【００５５】
コンテンツおよびサービスの提供料金の基準は、それぞれの提供業者が予め設定しておく。例えば、同じタイトルのコンテンツであっても、高画質（解像度の高いまたは色数の多い画像）で表示されるコンテンツの料金のほうが低画質で表示されるコンテンツの料金よりも高くなるように設定しておいてもよい。このように設定することによって、コンテンツの価値またはコンテンツの製作の労力などに応じて公平な課金を行うことができる。
【００５６】
コンテンツ料金請求部２２４およびサービス料金請求部２３４は、ユーザに提供したコンテンツまたはサービスの料金を提供業者による設定に基づいて算出し、算出結果をそのユーザのユーザＩＤとともに管理サーバ２１に送信する。すると、課金処理部２１４は、受信した算出結果に示される料金を、ユーザＩＤに対応する請求金額に加算する（図７の登録ユーザテーブルＴＢ３参照）。
【００５７】
表示装置３の使用料金の基準は、表示装置３の管理業者によって設定されている。例えば、表示装置３と端末装置４との接続時間、表示装置３が端末装置４から受信したファイル７１などのデータ量、使用時の表示モード（解像度、カラーモード、またはリフレッシュレートなど）、画像の表示時間、または表示装置３と通信回線５との接続時間（すなわちＡＤＳＬ回線などの使用時間）など、表示装置３の使用状況に応じた使用料金の基準が設定されている。
【００５８】
図５において、使用状況記録部３０２は、ユーザの表示装置３の使用状況に関する情報を記録する。使用状況送信部３０６は、表示装置３を使用したユーザのユーザＩＤとともに、使用状況記録部３０２に記録された情報を使用状況情報７４として管理サーバ２１に送信する。または、使用状況情報７４を一旦ユーザの端末装置４に記憶させておき、端末装置４が使用状況情報７４を送信するようにしてもよい。図６の課金処理部２１４は、受信した使用状況情報７４および管理業者が設定した基準に基づいて表示装置３の使用料金を算出し、ユーザＩＤに対応する請求金額に加算する（図７の登録ユーザテーブルＴＢ３参照）。
【００５９】
このようにして求められた請求金額は、ユーザが指定する銀行またはクレジットカード会社に通知される。銀行またはクレジットカード会社がユーザから徴収した代金は、コンテンツまたはサービスを提供する提供業者および表示装置３を管理する管理業者に分配される。管理サーバ２１を運営する企業は、各提供業者または管理業者から所定の手数料の支払いを受ける。
【００６０】
次に、大画面表示システム１の処理の流れを、図１１に示すフローチャートを参照して説明する。例えば、外出中のユーザが、端末装置４によって受信している情報（コンテンツ）を大きな画面で閲覧したくなり、表示装置３が設置されているインターネットカフェに立ち寄ったとする。
【００６１】
ユーザは、自分に与えられた席に着くと、その席に設置されている表示装置３に端末装置４を接続し、自分のユーザＩＤを入力する（＃１）。表示装置３は、このユーザが正規の登録ユーザであるか否かを認証するように管理サーバ２１に対して要求する。正規の登録ユーザであることが認証されると（＃２）、ユーザは表示装置３の使用を開始することができる。
【００６２】
ユーザは、所望するコンテンツまたはサービスのＵＲＬを端末装置４に入力する。すると、端末装置４は、コンテンツ配信サーバ２２またはアプリケーション配信サーバ２３に対してそのコンテンツまたはサービスのためのデータを要求する（＃３）。コンテンツ配信サーバ２２は、要求されたコンテンツを表示装置３に表示するためのファイル７１またはストリーミングデータ７３を表示装置３に送信する。ただし、これらのデータは、端末装置４の携帯電話回線により送信可能なサイズであれば（＃４でＮｏ）、一旦端末装置４に送信され（＃５）、表示装置３に転送される（＃６）。サイズが大きく端末装置４の携帯電話回線による送信が難しい場合は（＃４でＹｅｓ）、端末装置４を介さずに表示装置３に送信される（＃７）。端末装置４を介して送信するか否かは、ユーザが指定する場合もある。アプリケーション配信サーバ２３も、ユーザからの要求に従ってステップ＃４〜＃７と同様の処理を行う。
【００６３】
各サーバ２１〜２３は、ステップ＃４〜＃７の処理と同時にまたは並行して、コンテンツの提供料金を課金する処理を行う（＃８）。
表示装置３は、受信したファイル７１などに基づいてＷｅｂページなどを表示する（＃９）。また、ステップ＃１〜＃９の処理の間、表示装置３の使用状況を適宜記録する（＃１０）。表示装置３の利用が終了した場合は（＃１１でＹｅｓ）、記憶された使用状況に基づいて使用料金が求められ、課金の処理が行われる（＃１２）。使用を継続する場合は（＃１１でＮｏ）、ステップ＃３からの処理を繰り返す。
【００６４】
本実施形態によると、ユーザは、携帯型の端末装置４による作業を表示装置３の大きな画面を見ながら容易に行うことができる。また、表示装置３を使用している間もオンラインバンキングの口座番号の入力などの操作を端末装置４によって行うことができるので、通常のモバイル通信と同じレベルのセキュリティが確保される。
【００６５】
コンテンツまたはサービスの提供業者は、従来のパソコンユーザに加え、モバイルユーザに対しても高画質のコンテンツを提供することができるので、従来よりも多くの売上を得ることができる。
【００６６】
表示装置３にデータを送信する回線を端末装置４の回線から表示装置３の回線に切り替えることによって、データの送信の速度を高めかつ端末装置４の消費電力を低減させることができる。
【００６７】
従来は、表示装置に資料を映しながらプレゼンテーションを行うユーザは、資料のデータをフロッピディスクなどの可搬媒体に記憶させて会議室に持参し、さらに会議室の表示装置にパソコンを接続する作業を行わなければならなかった。これに対して、本実施形態の大画面表示システム１によると、ユーザは、資料のデータをサーバに記憶させておけば、端末装置４を持参するだけで簡単にプレゼンテーションを行うことができる。
【００６８】
管理サーバ２１の運営者は、表示装置３を不特定多数の人が集まる場所に設置してもよい。例えば、大画面かつ高精細の表示装置３を駅の構内またはホテルのロビーなどに設置しておく。すると、端末装置４に表示される画面と同じ画面が表示装置３に表示され、不特定多数の人の目に触れる。これにより、この運営者が提供しているサービスを不特定多数の人に宣伝し、需要の開拓を促進することができる。
【００６９】
その他、大画面表示システム１、情報配信システム２、管理サーバ２１、コンテンツ配信サーバ２２、アプリケーション配信サーバ２３、表示装置３、端末装置４の全体または各部の構成、表示装置テーブルＴＢ１、仕様テーブルＴＢ２、登録ユーザテーブルＴＢ３などのデータベースの構成、処理内容、処理順序などは、本発明の趣旨に沿って適宜変更することができる。
【００７０】
【発明の効果】
本発明によると、携帯型端末装置による作業を大きな画面を見ながら行うことができる表示環境を提供することができる。
【図面の簡単な説明】
【図１】本発明に係る大画面表示システムの構成の例を示す図である。
【図２】端末装置のハードウェア構成の例を示す図である。
【図３】表示装置のハードウェア構成の例を示す図である。
【図４】管理サーバなどのハードウェア構成の例を示す図である。
【図５】表示装置および端末装置の機能的構成の例を説明する図である。
【図６】管理サーバ、コンテンツ配信サーバ、およびアプリケーション配信サーバの機能的構成の例を説明する図である。
【図７】登録ユーザテーブルの構成の例を示す図である。
【図８】表示装置テーブルの構成の例を示す図である。
【図９】仕様テーブルの構成の例を示す図である。
【図１０】表示装置などのタイプごとに用意されたファイルの組合せの例を示す図である。
【図１１】大画面表示システムの処理の流れの例を説明するフローチャートである。
【符号の説明】
１　大画面表示システム（表示システム）
２　情報配信システム
３　表示装置
４　端末装置（携帯型端末装置）
５　通信回線（ネットワーク）
７１　ファイル（画面データ）
７３　ストリーミングデータ（画面データ）
８１　プログラム（画面データ）
２１４　課金処理部（料金処理部）
２２１　コンテンツ送信部（送信手段）
２２２　コンテンツ記憶部（画面データ記憶手段）
２２３　送信要求受付部（受付手段）
２３１　プログラム送信部（送信手段）
２３２　プログラム記憶部（画面データ記憶手段）
２３３　送信要求受付部（受付手段）
３０１　ユーザ認証要求部（使用可否確認手段）
３０３　第一のコンテンツ受信部（第一の受信手段、通信手段）
３０４　第二のコンテンツ受信部（第二の受信手段）
３０５　表示制御部（表示手段）
４０１　コンテンツ要求部（指定手段）
４０２　コンテンツ受信部（受信手段）
４０５　コンテンツ転送部（転送手段）
【図１】
2004021821.tif 000003
【図２】
2004021821.tif 000004
【図３】
2004021821.tif 000005
【図４】
2004021821.tif 000006
【図５】
2004021821.tif 000007
【図６】
2004021821.tif 000008
【図７】
2004021821.tif 000009
【図８】
2004021821.tif 000010
【図９】
2004021821.tif 000011
【図１０】
2004021821.tif 000012
【図１１】
2004021821.tif 000013